(57)【特許請求の範囲】
【請求項１】
逓倍タンク方式によりシンボルタイミングを再生する受信装置へ信号を送信する送信装置であって、
送信ビットをＱＰＳＫ変調するマッピング処理部と、
前記マッピング処理部で生成された変調信号に対して２シンボルを１ブロックとして１ブロックごとに差動時空間符号化を行い、差動時空間符号化信号を生成する差動時空間符号化部と、
前記差動時空間符号化部が前記差動時空間符号化を開始する際に、生成済みの差動時空間符号化信号に代えて使用する信号初期値として、前記差動時空間符号化部で生成される差動時空間符号化信号のとりうる振幅が２通りとなる２シンボルの組合せの要素を前記差動時空間符号化部に与える初期値設定部と、
を備えることを特徴とする送信装置。
【請求項２】
前記マッピング処理部は、
送信ビットを第１のビット系列と第２のビット系列とに振り分けるビット振分部と、
前記第１のビット系列をＱＰＳＫ変調する第１のマッピング部と、
前記第２のビット系列をＱＰＳＫ変調する第２のマッピング部と、
を備え、
前記差動時空間符号化部は、前記第１のマッピング部で生成された変調信号の１シンボルおよび前記第２のマッピング部で生成された変調信号の１シンボルを１ブロックとして１ブロックごとに差動時空間符号化を行う、
ことを特徴とする請求項１に記載の送信装置。
【請求項３】
前記変調信号の平均振幅を１／√２、ｎを整数、ｊを虚数単位、Ｂ1およびＢ2を次式（１）、とした場合、
【数１】
0005980451.tif 000008
前記差動時空間符号化部は、前記差動時空間符号化信号として、
Ｂ1（cos(ｎπ/６)＋ｊ・sin(ｎπ/６)）、
Ｂ2（cos(ｎπ/６＋π/１２)＋ｊ・sin(ｎπ/６＋π/１２)）、
Ｂ1（cos(ｎπ/６＋π/４)＋ｊ・sin(ｎπ/６＋π/４)）、
または
Ｂ2（cos(ｎπ/６＋π/３)＋ｊ・sin(ｎπ/６＋π/３)）、
を生成することを特徴とする請求項１または２に記載の送信装置。
【請求項４】
前記変調信号の平均振幅を１／√２、ｎを整数、ｊを虚数単位、Ｂ1およびＢ2を次式（２）、とした場合、
【数２】
0005980451.tif 000009
前記初期値設定部は、前記信号初期値として、以下の［１］から［６］に示した組合せ、および、以下の［１］から［６］に示した組合せの各々をｍπ／２（ｍ＝１，２，３）位相回転させて得られる組合せの中のいずれか一つを前記差動時空間符号化部に与えることを特徴とする請求項１、２または３に記載の送信装置。
［１］Ｂ1（cos(０)＋ｊ・sin(０)）およびＢ2（cos(π／４)＋ｊ・sin(π／４)）
［２］Ｂ1（cos(０)＋ｊ・sin(０)）およびＢ2（cos(３π／４)＋ｊ・sin(３π／４)）
［３］Ｂ1（cos(π／６)＋ｊ・sin(π／６)）およびＢ2（cos(１３π／１２)＋ｊ・sin(１３π／１２)）
［４］Ｂ1（cos(π／６)＋ｊ・sin(π／６)）およびＢ2（cos(１９π／１２)＋ｊ・sin(１９π／１２)）
［５］Ｂ1（cos(π／３)＋ｊ・sin(π／３)）およびＢ2（cos(５π／１２)＋ｊ・sin(５π／１２)）
［６］Ｂ1（cos(π／３)＋ｊ・sin(π／３)）およびＢ2（cos(２３π／１２)＋ｊ・sin(２３π／１２)）
【発明の詳細な説明】
【技術分野】
【０００１】
本発明は、送信ビット系列を差動時空間符号化して送信する送信装置に関する。
【背景技術】
【０００２】
無線通信では、通信品質を向上させるためのダイバーシチ技術が数多く存在する。ＳＴＢＣ（Space  Time  Block  Coding）、ＤＳＴＢＣ（Differential  Space  Time  Block  Coding）は、送信ダイバーシチ技術の一つであり、送信機で複数の送信アンテナを用いて時空間符号化（ＳＴＢＣ符号化）、差動時空間符号化（ＤＳＴＢＣ符号化）を行った信号を送信することで、ダイバーシチ効果を得られる技術である。例えば、送信アンテナを２本用いる場合のＳＴＢＣ、ＤＳＴＢＣは、２シンボルを１ブロックとして、ブロック単位でＳＴＢＣ符号化、ＤＳＴＢＣ符号化を行う。ＳＴＢＣ符号化は１ブロックのみ用いるが、ＤＳＴＢＣ符号化の場合は直前のブロックとその次に送信するブロックを用いる。受信機では、送信機で生成したブロック毎にＳＴＢＣ復号、ＤＳＴＢＣ復号を行う。ＳＴＢＣ復号は伝送路推定値を得て、ブロック内の処理によって、ＤＳＴＢＣ復号はブロックとその直前のブロック間の処理によって、符号化前のシンボルを取り出す。感度特性については、ＳＴＢＣがＤＳＴＢＣに比べて良好な特性となるが、ＤＳＴＢＣは復号化処理において受信信号から伝送路を推定する必要がないことから、伝送路推定が必要なＳＴＢＣの受信機と比較して、復号化処理に必要な処理量が減る。そのため、ＤＳＴＢＣの受信機は構成が容易になるというメリットがある。このような技術が、下記非特許文献１において開示されている。【０００３】
受信装置では、受信信号の復調を行う際に変調信号が生成されたタイミング（以下ではシンボルタイミングとする）を抽出する必要がある。送受信装置でナイキストフィルタによるフィルタリングを行うと、シンボルタイミングでは隣の変調信号の干渉を受けないが、それ以外のタイミングではシンボル間干渉の影響を受ける。送信装置と受信装置のそれぞれのクロックを同期している場合はシンボルタイミングの抽出処理は必要無いが、無線通信では送信装置と受信装置のそれぞれのクロックが同期できない。そのため、受信装置で送信装置のクロックと位相を同期させて、シンボルタイミングを再生する方式（以下ではＢＴＲ（Bit  Timing  Recovery）方式とする）が必要となる。ＢＴＲ方式として非特許文献２に記載される逓倍タンク方式がある。逓倍タンク方式は受信信号を直交検波した後のＩ相成分、Ｑ相成分をそれぞれ２乗して加算して電力値を算出し、その電力値をクロック波形としてＤＦＴ（Discrete  Fourier  Transformation）（離散フーリエ変換）によって波形の位相成分を算出することで、シンボルタイミングを抽出する。逓倍タンク方式はプリアンブル、ＳＷ（Sync  Word）（同期ワード）などの既知信号が不要で、受信信号全体に対して処理が行えるため、タイミング再生を高速で行うことが可能である。また、ＤＳＴＢＣのように既知信号の信号点が差動符号化によってフレーム毎に一定とならない場合でも逓倍タンク方式によるシンボルタイミング再生は有効である。
【先行技術文献】
【非特許文献】
【０００４】
【非特許文献１】Ｖ．Ｔａｒｏｋｈ，Ｈ．Ｊａｆａｒｋｈａｎｉ，“Ａ  Ｄｉｆｆｅｒｅｎｔｉａｌ  Ｄｅｔｅｃｔｉｏｎ  Ｓｃｈｅｍｅ  ｆｏｒ  Ｔｒａｎｓｍｉｔ  Ｄｉｖｅｒｓｉｔｙ，”ＩＥＥＥ  Ｊｏｕｒｎａｌ  ｏｎ  Ｓｅｌｅｃｔｅｄ  Ａｒｅａｓ  ｉｎ  Ｃｏｍｍｕｎｉｃａｔｉｏｎｓ，Ｖｏｌ．１８，ｐｐ１１６９−１１７４，Ｊｕｌｙ  ２０００．
【非特許文献２】松本洋一，守倉正博，加藤修三，“バーストモード全ディジタル化高速クロック再生回路−蓄積型クロック再生方式−，”電子情報通信学会論文誌，Ｂ−II  Ｖｏｌ．７５−Ｂ−II  Ｎｏ．６，ｐｐ．３５４−３６２，１９９２年６月．
【発明の概要】
【発明が解決しようとする課題】
【０００５】
従来技術である逓倍タンク方式は受信信号のＩ相成分およびＱ相成分をそれぞれ２乗して加算した電力値をクロック波形として、クロック波形にＤＦＴ処理を行い位相算出した後に、雑音などの影響によるバラつきを小さくするために位相を平均化する。シンボルの電力が一定でない場合もクロック波形が歪み、位相算出の結果がバラつく原因となるため、電力のバラつきが小さい変調方式を用いた方が逓倍タンク方式によるシンボルタイミングの再生精度が高い。そのため、ＱＰＳＫ（Ｑｕａｄｒａｔｕｒｅ  Ｐｈａｓｅ  Ｓｈｉｆｔ  Ｋｅｙｉｎｇ）、ＤＱＰＳＫ（Ｄｉｆｆｅｒｅｎｔｉａｌ  ＱＰＳＫ）など、変調信号の電力が一定となる変調方式のＢＴＲ方式として逓倍タンク方式を用いた場合は高精度にシンボルタイミングを再生できる。しかし、ＤＳＴＢＣによる差動符号化を行った場合、変調方式がＱＰＳＫであっても差動符号化後の信号については電力が一定でなくなるため、逓倍タンク方式によるシンボルタイミング再生の精度が低下する問題がある。【０００６】
本発明は、上記に鑑みてなされたものであって、ＤＳＴＢＣにより差動符号化を行った後の送信信号の信号点毎の振幅バラつきを減らし、逓倍タンク方式によりシンボルタイミングを再生する受信装置におけるシンボルタイミング再生精度を向上させることが可能な送信装置を得ることを目的とする。
【課題を解決するための手段】
【０００７】
上述した課題を解決し、目的を達成するために、送信装置は、送信ビットをＱＰＳＫ変調するマッピング処理部、変調信号に対して差動時空間符号化を行い、差動時空間符号化信号を生成する差動時空間符号化部を備える。また、送信装置は、差動時空間符号化部が差動時空間符号化を開始する際に、生成済みの差動時空間符号化信号に代えて使用する信号初期値として、生成される差動時空間符号化信号のとりうる振幅が２通りとなる２シンボルの組合せの要素を差動時空間符号化部に与える初期値設定部を備える。
【発明の効果】
【０００８】
本発明にかかる送信装置は、逓倍タンク方式によりシンボルタイミングを再生する受信装置におけるシンボルタイミング再生精度を向上させることができる、という効果を奏する。
【図面の簡単な説明】
【０００９】
【図１】実施の形態１にかかる送信装置の構成例を示す図
【図２】初期値設定部の動作例を示すフローチャート
【図３】ＤＳＴＢＣ符号化された信号の信号点を示す図
【図４】ＤＳＴＢＣ符号化部から出力される信号の信号点を示す図
【図５】図４に示した各信号点の振幅および位相を示す図
【図６】初期値設定部がＤＳＴＢＣ符号化部に与える初期値を示す図
【図７】実施の形態２にかかる送信装置の構成例を示す図
【図８】初期値設定部のハードウェア構成例を示す図
【図９】初期値設定部のハードウェア構成例を示す図
【発明を実施するための形態】
【００１０】
以下に、本発明の実施の形態にかかる送信装置を図面に基づいて詳細に説明する。なお、この実施の形態によりこの発明が限定されるものではない。
【００１１】
実施の形態１．
図１は、本発明の実施の形態１にかかる送信装置の構成例を示す図である。本実施の状態にかかる送信装置１は、マッピング部１１、ＤＳＴＢＣ符号化部１２、初期値設定部１３、フィルタ部１４，１５および直交変調部１６，１７を備える。送信装置１は、例えば無線通信装置の送信機を構成する。
【００１２】
送信装置１において、マッピング処理部であるマッピング部１１は、入力された送信ビットをＩＱ平面（複素平面）上の任意の点にマッピングして変調信号を生成する。本実施の形態のマッピング部１１は送信ビットに対してＱＰＳＫ変調を行う。差動時空間符号化部であるＤＳＴＢＣ符号化部１２は、マッピング部１１で生成された変調信号であるＱＰＳＫ信号と直前のＤＳＴＢＣ符号化（差動時空間符号化）により生成したＤＳＴＢＣ符号化信号とを用いてＤＳＴＢＣ信号を生成する。初期値設定部１３は、ＤＳＴＢＣ符号化部１２が最初に実施するＤＳＴＢＣ符号化において必要な初期値としてのＤＳＴＢＣ信号を生成する。フィルタ部１４および１５は、ＤＳＴＢＣ符号化部１２から出力されたＤＳＴＢＣ信号に対し、オーバサンプルおよび整形フィルタを用いたフィルタリングを行う。直交変調部１６および１７は、それぞれフィルタ部１４および１５によるフィルタリングが行われた後のＤＳＴＢＣ信号を搬送波周波数などに変調するとともに、信号電力を増幅する。
【００１３】
次に、図１に示した送信装置１が送信ビットを送信する際の全体の処理について説明する。送信装置１に入力される送信ビットは、ランダムパターン、情報ビット列などの０、１のビット列とする。
【００１４】
マッピング部１１は、入力された送信ビットに対してＱＰＳＫによる一次変調を行う。ＱＰＳＫは２ビットで１シンボルとする変調方式であり、マッピング部１１は、以下の式（１）に従って送信ビットをＩＱ平面上の信号点にマッピングすることにより変調信号を生成する。
【００１５】
【数１】
0005980451.tif 000002
【００１６】
式（１）において、Ａは変調信号の振幅値であり、ｊは虚数単位である。Ａは任意の値を用いて良いが、以下では１／√２とする。また、式（１）においてコロンの左側が送信ビットの２ビットを表し、コロンの右側が変調信号を表している。４パターンの送信ビットと４つの変調信号の組合せは式（１）に示したものに限らず、任意の組合せとすることができる。
【００１７】
ＤＳＴＢＣ符号化部１２は、マッピング部１１から出力される変調信号をＤＳＴＢＣ符号化し、ＤＳＴＢＣ信号を生成する。ＤＳＴＢＣ符号化は、変調信号の２シンボルを１ブロックとして符号化を行うため、ｋブロック目の１シンボル目をｓk,1、２シンボル目をsk,2とすると、変調信号行列Ｓkは以下の式（２）で表される。次式（２）において、ｓ*はｓの複素共役を意味する。
【００１８】
【数２】
0005980451.tif 000003
【００１９】
また、ｋブロック目のＤＳＴＢＣ信号のうち１シンボル目のＤＳＴＢＣ信号をｃk,1、２シンボル目のＤＳＴＢＣ信号をｃk,2とすると、ｋブロック目のＤＳＴＢＣ信号行列Ｃkは以下の式（３）で表される。
【００２０】
【数３】
0005980451.tif 000004
【００２１】
ＤＳＴＢＣ符号化部１２は、ｋ−１ブロック目のＤＳＴＢＣ信号行列Ｃk-1とｋブロック目の変調信号行列Ｓkを用いた行列の乗算により、式（３）で表されたｋブロック目のＤＳＴＢＣ信号行列Ｃkを生成する。この処理は以下の式（４）で表される。なお、ＤＳＴＢＣ符号化部１２の出力がＤＳＴＢＣ符号化部１２に入力されているのはＤＳＴＢＣ信号行列Ｃｋの生成にＣk-1が必要なためである。
【００２２】
【数４】
0005980451.tif 000005
【００２３】
ＤＳＴＢＣ信号行列Ｃkの生成処理を示す式（４）では行列演算として全ての要素を対象に乗算および加減算を行っているが、例えば、ｃk,1およびｃk,2の２要素のみを行列演算により算出し、ｃ*k,1および−ｃ*k,2はｃk,1およびｃk,2の複素共役および符号反転により求めるようにして演算量を削減してもよい。
【００２４】
ここで、ＤＳＴＢＣ信号行列Ｃ1を生成する場合に必要な行列Ｃ0、すなわち、送信ビット系列の入力が開始されてから最初にＤＳＴＢＣ信号行列を生成する場合に必要な行列Ｃ0はＤＳＴＢＣ符号化部１２の出力からは得られない。そのため、初期値設定部１３が、行列Ｃ0の要素のうち、ｃ0,1およびｃ0,2を初期値としてＤＳＴＢＣ符号化部１２に与える。ＤＳＴＢＣ符号化部１２は初期値設定部１３から受け取った初期値ｃ0,1およびｃ0,2を用いて行列Ｃ0を生成し、生成した行列Ｃ0を使用してＤＳＴＢＣ信号行列Ｃ1を生成する。初期値設定部１３が初期値ｃ0,1およびｃ0,2を与えるタイミングは任意のタイミングでよく、例えば、ＤＳＴＢＣ符号化部１２がＤＳＴＢＣ信号の生成を開始する時点としてもよいし、通信フレームの先頭が入力されるタイミングとしてもよい。また、初期値設定部１３は単に初期値を保持しておき、ＤＳＴＢＣ符号化部１２が、必要に応じて初期値設定部１３から初期値を読み出すようにしてもよい。図２は、初期値設定部１３の動作例を示すフローチャートである。図２に示したように、初期値設定部１３は、規定条件を満足したか否かを確認し（ステップＳ１１）、規定条件を満足していない場合（ステップＳ１１：Ｎｏ）、確認動作を継続する。規定条件とは、例えば、ＤＳＴＢＣ符号化部１２がＤＳＴＢＣ信号の生成を開始したことを検出した場合、通信フレームの先頭の送信ビットがマッピング部１１またはＤＳＴＢＣ符号化部１２に入力された場合、などが考えられるがこれらに限定するものではない。規定条件を満たした場合（ステップＳ１１：Ｙｅｓ）、初期値設定部１３は、初期値ｃ0,1およびｃ0,2をＤＳＴＢＣ符号化部１２に与える（ステップＳ１２）。すなわち、初期値設定部１３は、規定条件を満たしたと判断すると、内部のメモリなどの記憶回路で保持している初期値ｃ0,1およびｃ0,2を記憶回路から読み出し、ＤＳＴＢＣ符号化部１２へ出力する。
【００２５】
初期値ｃ0,1およびｃ0,2は原理的に複素平面上の任意の点を設定することが可能であるが、１ブロックの電力が変調信号の２シンボル分の電力和に等しくなる必要がある。すなわち、初期値は式（５）を満たす必要がある。この初期値によってＤＳＴＢＣ符号化部２の出力として取りうる信号点が決定されるが、式（５）を満たす初期値の組合せは膨大であり、送受信処理に都合の良い信号点となる組合せを見つけ出し、用いるのが望ましい。
【００２６】
【数５】
0005980451.tif 000006
【００２７】
例えば、ｃ0,1を１、ｃ0,2を０とした場合は上式（５）に示した条件を満たすが、この場合はＤＳＴＢＣ符号化部１２の出力として取りうる信号点は図３に示したようになる。図３に示したように、ｃ0,1を１、ｃ0,2を０とした場合におけるＤＳＴＢＣ信号の信号点は、振幅が３通りとなる。すなわち、振幅が大きい［２］、［４］、［６］および［８］と、これらの信号点よりも振幅が小さい［３］、［５］、［７］および［９］と、振幅が０の［１］とが存在し、シンボル毎の振幅ばらつきが大きい。そのため、ＤＳＴＢＣ信号を受信する受信装置が逓倍タンク方式によりタイミング再生を行う場合、タイミングの再生精度が低い。そこで、本実施の形態では、シンボル毎の振幅ばらつきを減らすため、ＤＳＴＢＣ信号の信号点が取りうる振幅が２通りとなる初期値を初期値設定部１３が設定する。信号点の振幅が２通りとなるＤＳＴＢＣ信号の例を図４に示す。図４に示した信号点の［１］〜［１２］が小さい振幅の信号点であり、［１３］〜［２４］が大きい振幅の信号点となる。図４に示した各信号点の振幅および位相は図５に示した通りである。図５に示した振幅Ｂ1およびＢ2は式（６）に示す値となる。
【００２８】
【数６】
0005980451.tif 000007
【００２９】
図４および図５に示した［１］〜［２４］の各信号点は、Ｂ1（cos(ｎπ/６)＋ｊ・sin(ｎπ/６)）、Ｂ2（cos(ｎπ/６＋π/１２)＋ｊ・sin(ｎπ/６＋π/１２)）、Ｂ1（cos(ｎπ/６＋π/４)＋ｊ・sin(ｎπ/６＋π/４)）、または、Ｂ2（cos(ｎπ/６＋π/３)＋ｊ・sin(ｎπ/６＋π/３)）と表すこともできる。
【００３０】
図４および図５に示した信号点のうち、初期値設定部１３がＤＳＴＢＣ符号化部１２に与える初期値ｃ0,1およびｃ0,2として取りうる組合せを示した図が図６となる。初期値設定部１３は図６に示したどのブロック内シンボル組合せ番号に対応する信号点の組合せを初期値として用いてもよい。図６に示した信号点の組合せのうち、ブロック内シンボル組合せ番号が７〜２４のものは、ブロック内シンボル組合せ番号が１〜６のものを複素平面の原点を中心にｍπ／２（ｍ＝１，２，３）位相回転させたものに相当する。初期値ｃ0,1およびｃ0,2を図６に示した組合せの中のいずれかに設定することにより、ＤＳＴＢＣ符号化部１２が生成するＤＳＴＢＣ信号は図４および図５に示したものとなり、信号点がとりうる振幅を２通りとすることができる。信号点の取りうる振幅が２通りのＤＳＴＢＣ信号は図４および図５に示したものの他に、図４および図５に記載のＤＳＴＢ信号点を、原点を中心に反時計周りにπ／４位相回転させたものが該当する。また、初期値ｃ0,1およびｃ0,2については図６に示した組合せに加えて、図６に示した各信号点を原点を中心に反時計回りにπ／４の整数倍（０、π／４、π／２、３π／４、…）位相回転した組合せとしてもよい。この場合にも、ＤＳＴＢＣ符号化部１２が生成するＤＳＴＢＣ信号の振幅が２通りとなる。従って、初期値設定部１３は、初期値ｃ0,1およびｃ0,2として、図６に示したブロック内シンボル組合せ番号が１〜６に対応している信号点の組合せと、これらを複素平面の原点を中心に反時計回りにｎπ／４（ｎ＝０，１，…，７）位相回転させたものとの中から選択し、ＤＳＴＢＣ符号化部１２へ出力すればよい。
【００３１】
ＤＳＴＢＣ符号化部１２が生成したＤＳＴＢＣ信号はフィルタ部１４および１５に入力される。すなわち、ＤＳＴＢＣ符号化部１２は、ｃk,1，−ｃ*k,2およびｃ*k,1，ｃk,2の２シンボルのうちいずれかをフィルタ部１４に入力させ、もう一方の２シンボルをフィルタ部１５に入力させる。
【００３２】
フィルタ部１４，１５では、入力されたシンボルに対してナイキストフィルタなどの整形フィルタを用いたフィルタリングを行い、直交変調部１６，１７へ出力する。フィルタ部１４，１５から出力された信号は直交変調部１６，１７において、例えば、搬送波周波数に変換され、送信アンプなどを用いて信号電力増幅が行われた後、送信信号として出力される。直交変調部１６，１７は必ずしも搬送波周波数まで変調する必要は無く、ベースバンド信号のまま出力しても、中間周波数まで変調して出力してもよい。また、本実施の形態では、ＤＳＴＢＣが送信ダイバーシチ技術であることから２送信アンテナ用の構成としたが、フィルタ部１４，１５および直交変調部１６，１７の２送信アンテナ用に２つずつあるブロックはどちらか一方のみでもよい。この場合、送信信号は１送信アンテナから送信される。
【００３３】
このように、本実施の形態の送信装置では、ＤＳＴＢＣ符号化で使用する初期値としてＤＳＴＢＣ信号の信号点が取りうる振幅が２通りとなる値の初期値を使用することとした。これにより、信号点における振幅のばらつきが小さくなるため、本実施の形態の送信装置が送信したＤＳＴＢＣ信号を受信する受信装置は、逓倍タンク方式により高精度にシンボルタイミングを再生することができる。すなわち、本実施の形態の送信装置は、逓倍タンク方式によりシンボルタイミングを再生する受信装置におけるシンボルタイミング再生精度を向上させることができる。
【００３４】
実施の形態２．
図７は、実施の形態２にかかる送信装置の構成例を示す図である。実施の状態２にかかる送信装置１ａは、送信ビット系列をＱＰＳＫ変調するマッピング処理部の構成が実施の形態１の送信装置１と異なるが、得られる効果は実施の形態１と同様である。送信装置１ａは、図１に示した実施の形態１にかかる送信装置１が備えていたマッピング部１１およびＤＳＴＢＣ符号化部１２を、マッピング部２１，２２およびＤＳＴＢＣ符号化部１２ａに置き換え、さらに、マッピング部２１，２２の前段にＳ／Ｐ（Serial／Parallel）変換部２０を追加した構成となっている。送信装置１ａにおいては、Ｓ／Ｐ変換部２０およびマッピング部２１，２２がマッピング処理部を構成する。図７では、実施の形態１にかかる送信装置１と共通の構成要素に同一の符号を付している。送信装置１と共通の構成要素については説明を省略する。
【００３５】
次に、送信装置１ａが送信ビットを送信する際の全体の処理について説明する。送信装置１ａに入力される送信ビットは、実施の形態１と同様に、ランダムパターン、情報ビット列などの０、１のビット列とする。
【００３６】
送信装置１ａでは、実施の形態１で示した式（２）におけるｓk,1およびｓk,2をそれぞれ異なるマッピング部で生成する。
【００３７】
送信装置１ａにおいては、送信ビットがＳ／Ｐ変換部２０に入力され、Ｓ／Ｐ変換部２０は、ＤＳＴＢＣ信号の１ブロックで伝送される４ビットのうち、先頭から２ビットをマッピング部２１に出力し、残りの２ビットをマッピング部２２に出力する。すなわち、Ｓ／Ｐ変換部２０は、送信ビットを第１のビット系列と第２のビット系列とに振り分けるビット振分部である。
【００３８】
マッピング部２１および２２は、第１のマッピング部および第２のマッピング部であり、実施の形態１のマッピング部１１と同様に、入力された送信ビットに対してＱＰＳＫによる一次変調を行う。ここで、１ブロックで伝送される４ビットについては、マッピング部２１に後端の２ビットを割り当て、マッピング部２２に先頭から２ビットを割り当てても構わない。すなわち、Ｓ／Ｐ変換部２０は、１ブロックで伝送される４ビットのうち、先頭から２ビットをマッピング部２２に出力し、残りの２ビットをマッピング部２１に出力しても構わない。ＤＳＴＢＣ符号化部１２ａは、マッピング部２１および２２から入力されるブロックの先頭シンボルおよび後端シンボルに対してＤＳＴＢＣ符号化を行い、ＤＳＴＢＣ信号を生成する。ＤＳＴＢＣ符号化部１２ａによるＤＳＴＢＣ信号の生成手順、初期値設定部１３による初期値の設定方法、設定する初期値については実施の形態１と同様である。ＤＳＴＢＣ符号化部１２ａが生成したＤＳＴＢＣ信号はフィルタ部１４および１５に入力される。実施の形態１のＤＳＴＢＣ符号化部１２と同様に、ＤＳＴＢＣ符号化部１２ａは、ｃk,1，−ｃ*k,2およびｃ*k,1，ｃk,2の２シンボルのうちいずれかをフィルタ部１４に入力させ、もう一方の２シンボルをフィルタ部１５に入力させる。
【００３９】
本実施の形態にかかる送信装置１ａによれば、実施の形態１の送信装置１と同様に、ＤＳＴＢＣ符号化されたＤＳＴＢＣ信号が２通りの振幅のみを取りうる信号点が得られるようになり、信号点における振幅のばらつきが小さくなるため、逓倍タンク方式によりシンボルタイミングを再生する受信装置におけるシンボルタイミング再生精度を向上させることができる。
【００４０】
実施の形態１の送信装置１および実施の形態２の送信装置１ａを構成している初期値設定部１３は、図８または図９に示したハードウェアにより実現される。図８は、専用のハードウェアで初期値設定部１３を実現する場合の構成例を示し、図９は、メモリに格納されるプログラムを実行するプロセッサ（ＣＰＵ（Central  Processing  Unit、中央処理装置、処理装置、演算装置、マイクロプロセッサ、マイクロコンピュータ、ＤＳＰ（Digital  Signal  Processor）ともいう）で初期値設定部１３を実現する場合の構成例を示している。
【００４１】
専用のハードウェアである図８に示した処理回路５１が初期値設定部１３を実現する場合、処理回路５１は、ＤＳＴＢＣ符号化部１２または１２ａに与える初期値を保持する記憶回路５２、規定条件を満たしたか否かを判定する判定回路５３、規定条件を満たしたと判定回路５３が判定した場合に記憶回路５２で保持されている初期値をＤＳＴＢＣ符号化部１２または１２ａに出力する出力回路５４を備える。処理回路５１としては、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。
【００４２】
図９に示したプロセッサ６１、メモリ６２および出力回路６３が初期値設定部１３を実現する場合、プロセッサ６１は、規定条件を満たした場合に初期値をＤＳＴＢＣ符号化部１２または１２ａに出力する初期値設定部１３として動作するためのプログラムをメモリ６２から読出して実行する。メモリ６２には、初期値設定部１３として動作するためのプログラムが格納されるとともに、ＤＳＴＢＣ符号化部１２または１２ａに与える初期値が格納される。メモリ６２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（Electrically  Erasable  Programmable  Read  Only  Memory）等の、不揮発性または揮発性の半導体メモリや、磁気ディスク、フレキシブルディスク、光ディスク、コンパクトディスク、ミニディスク、ＤＶＤ（Digital  Versatile  Disc）等である。出力回路６３は、メモリ６２から読出された初期値をＤＳＴＢＣ符号化部１２または１２ａに出力する回路である。
【００４３】
また、マッピング部１１、２１および２２はシンボルマッパーにより実現される。ＤＳＴＢＣ符号化部１２および１２ａはエンコーダーにより実現される。フィルタ部１４および１５はフィルタにより実現される。直交変調部１６および１７はモジュレータにより実現される。Ｓ／Ｐ変換部２０はシリアルパラレル変換回路により実現される。
【００４４】
以上の実施の形態に示した構成は、本発明の内容の一例を示すものであり、別の公知の技術と組合せることも可能であるし、本発明の要旨を逸脱しない範囲で、構成の一部を省略、変更することも可能である。
【符号の説明】
【００４５】
１，１ａ  送信装置、１１，２１，２２  マッピング部、１２，１２ａ  ＤＳＴＢＣ符号化部、１３  初期値設定部、１４，１５  フィルタ部、１６，１７  直交変調部、２０  Ｓ／Ｐ変換部。
【要約】
送信装置は、送信ビットをＱＰＳＫ変調するマッピング部１１と、マッピング部１１で生成された変調信号に対して２シンボルを１ブロックとして１ブロックごとに差動時空間符号化を行い、差動時空間符号化信号を生成するＤＳＴＢＣ符号化部１２と、ＤＳＴＢＣ符号化部１２が差動時空間符号化を開始する際に、生成済みの差動時空間符号化信号に代えて使用する信号初期値として、ＤＳＴＢＣ符号化部１２で生成される差動時空間符号化信号のとりうる振幅が２通りとなる２シンボルの組合せの要素をＤＳＴＢＣ符号化部１２に与える初期値設定部１３と、を備える。【図１】
0005980451.tif 000010
【図２】
0005980451.tif 000011
【図３】
0005980451.tif 000012
【図４】
0005980451.tif 000013
【図５】
0005980451.tif 000014
【図６】
0005980451.tif 000015
【図７】
0005980451.tif 000016
【図８】
0005980451.tif 000017
【図９】
0005980451.tif 000018